(57)【特許請求の範囲】
【請求項１】
シャッタ地板と補助地板との間を中間板で仕切って構成した二つの羽根室に先羽根と後羽根を個別に配置しているデジタルカメラ用フォーカルプレンシャッタにおいて、先羽根用駆動部材が先羽根用駆動ばねの付勢力によって回転し先羽根に露光作動を開始させるときまで該先羽根用駆動部材を係止している先羽根用係止部材と、後羽根用駆動部材が後羽根用駆動ばねの付勢力によって回転し後羽根に露光作動を開始させるときまで該後羽根用駆動部材を係止している後羽根用係止部材と、セット状態においては先羽根用電磁石の鉄芯部材に接触させられており該電磁石のコイルに通電されると該鉄心部材に吸着保持されそのあと通電が断たれると先羽根用解除ばねの付勢力によって該鉄心部材から離反し前記先羽根用係止部材による前記先羽根用駆動部材の係止を解く先羽根用係止解除手段と、セット状態においては後羽根用電磁石の鉄心部材に接触させられており該電磁石のコイルに通電されると該鉄心部材に吸着保持され前記先羽根用電磁石のコイルに対する通電が断たれたあと前記後羽根用電磁石のコイルへの通電が断たれると後羽根用解除ばねの付勢力によって該鉄心部材から離反し前記後羽根用駆動部材による前記後羽根用駆動部材の係止を解く後羽根用係止解除手段と、セット状態においては前記二つの係止解除手段を前記二つの解除ばねの付勢力に抗して押圧し前記二つの鉄心部材に接触させており撮影に際して前記二つの電磁石のコイルに通電されるとその押圧力を解き前記二つの係止解除手段の作動軌跡外に作動させられるホールド手段と、前記ホールド手段の往復作動により往復回動させられセット状態においては前記後羽根用係止解除手段の作動軌跡内に位置せしめられており前記ホールド手段が前記二つの係止解除手段の作動軌跡外に作動させられたとき前記後羽用電磁石のコイルに対して通電が断たれると前記後羽根用係止部材により前記後羽用駆動部材の係止を解くまえに前記後羽用電磁石の鉄心部材から離反作動する前記後羽根用係止解除手段の被抑止部が当接することにより該後羽根用係止解除手段を抑止し得る抑止部材と、を備えていることを特徴とするデジタルカメラ用フォーカルプレンシャッタ。
【請求項２】
前記ホールド手段には係合部が設けられ、前記抑止部材にも係合部が設けられていて、前記抑止部材の回転軸にはねじりコイルばねが巻回されており、該ねじりコイルばねは、両方の腕部の間に前記抑止部材の係合部を存在させておき、両方の腕部の先端で前記ホールド手段の係合部を挟持する付勢力を有しており、前記ホールド手段は、セット位置への作動時には、その係合部が前記ねじりコイルばねの一方の腕部を押すことによって、他方の腕部に前記抑止部材の係合部を押させて、前記抑止部材を前記後羽根用係止解除手段の作動軌跡内に作動させ、セット位置からの作動時には、その係合部が前記ねじりコイルばねの他方の腕部を押すことによって、一方の腕部に前記係合部を押させて、前記抑止部材を前記後羽根用係止解除手段の作動軌跡外に作動させるようにしたことを特徴とする請求項１に記載のデジタルカメラ用フォーカルプレンシャッタ。
【請求項３】
前記後羽根用駆動部材が、同軸上に回転可能に取り付けられた後羽根用第１駆動部材と後羽根用第２駆動部材とで構成されており、該後羽根用第１駆動部材は、後羽根を連結していて、セット作動時には、セットばねの付勢力によって該後羽根用第２駆動部材に追従して回転し、該後羽根用第２駆動部材は、後羽根に露光作動を開始させる前には、前記後羽根用係止部材に係止されていて、その係止が解かれたときには、該セットばねの付勢力に抗して前記後羽根用駆動ばねの付勢力により該後羽根用第１駆動部材を押しながら回転するようにしたことを特徴とする請求項１又は２に記載のデジタルカメラ用フォーカルプレンシャッタ。
【請求項４】
前記後羽根は、前記シャッタ地板に枢着された二つのアームと、それらのアームに対して長さ方向に順に枢支された複数枚の略短冊状をした羽根とからなっていて、セット状態においては、それらの羽根が露光開口から退いて重畳状態となるように構成されており、前記中間板は、セット状態のとき前記複数枚の羽根と重なる領域の外形縁が、露光開口側に向けて凸状となる円弧状をしていて、前記複数枚の羽根とは、それらの羽根の長さ方向の略中央部において、それらとの重なり幅が小さくなるように形成されていることを特徴とする請求項１乃至３のいずれかに記載のデジタルカメラ用フォーカルプレンシャッタ。
【請求項５】
前記ホールド手段は、常態から所定の回転角度内で回転することが可能であってセット作動時には二つの押圧部によって前記二つの係止解除手段を前記二つの解除ばねの付勢力に抗して押圧し前記二つの鉄芯部材に接触させる押圧部材を有しており、セット状態においては、レリーズ部材によって係止されていて、前記レリーズ部材による係止を解かれると、ばねの付勢力によって作動し、前記二つの解除ばねの付勢力による前記二つの係止解除手段の作動を可能にするように構成されており、該ばねの付勢力による作動の停止時においては、前記押圧部材の少なくとも一方の押圧部が、前記シャッタ地板と一体の部材に取り付けられている緩衝部材に当接し得るようにしたことを特徴とする請求項１乃至４のいずれかに記載のデジタルカメラ用フォーカルプレンシャッタ。                                                                               
【発明の詳細な説明】
【技術分野】
【０００１】
本発明は、デジタルカメラ用フォーカルプレンシャッタに関する。
【背景技術】
【０００２】
デジタルカメラ用のフォーカルプレンシャッタの中には、先羽根と後羽根という二つのシャッタ羽根を備えたものがある。そして、この種のフォーカルプレンシャッタは、通常は、フィルムを使用するカメラ用のフォーカルプレンシャッタと同様に、先羽根と後羽根が、先羽根用駆動部材と後羽根用駆動部材に連結されていて、撮影待機状態であるセット状態においては、先羽根が露光開口を覆い、後羽根が露光開口から退いており、撮影時には、それらの二つの駆動部材が先羽根用駆動ばねと後羽根用駆動ばねの付勢力によって同じ方向に順に回転させられ、先羽根が露光開口を開いてゆき、後羽根がその後から閉じていくことによって、撮像装置の撮像面を露光していくように構成されている。そのため、このような構成のフォーカルプレンシャッタを備えているデジタルカメラは、光学ファインダを備えている。
【０００３】
また、このような構成のデジタルカメラ用フォーカルプレンシャッタは、後羽根が露光開口を完全に閉じると、撮像情報が撮像装置から情報処理回路を介して記憶装置に記憶され、直ちにセット作動が行われるが、そのセット作動は、初期位置から回転させられるセット部材が、それらの二つの駆動部材を、各々の駆動ばねの付勢力に抗してセット位置まで逆転させるようにしている。そして、それらの二つの駆動部材を、次の撮影が行われるまで、セット状態に保っておくための構成としては、係止タイプと言われているものと、ダイレクトタイプと言われているものが知られている。
【０００４】
即ち、係止タイプというのは、撮影に際して先羽根及び後羽根に露光作動を行わせるまでは、二つの駆動部材は、係止部材によって係止されているようにしたものである。そのため、セット部材は、セット作動によって二つの駆動部材がセット位置で各々の係止部材によって係止され得るようになると、直ちに初期位置へ復帰させられるように構成することが可能であるが、カメラのレリーズ時に、先羽根の開き作動に先立って初期位置へ復帰させられるように構成することも可能である。そして、先羽根と後羽根の露光作動は、各々の電磁石によって順に作動を可能にさせられる二つの解除手段が、各々の係止部材による各々の駆動部材の係止を解くことによって行われる。
【０００５】
他方、ダイレクトタイプというのは、二つの駆動部材が、各々鉄片部材を備えており、セット部材は、セット作動によって、それらの鉄片部材が、未だ励磁されていない各々の電磁石に接触した状態になるまで、二つの駆動部材を各々の駆動ばねの付勢力に抗して回転させるようにしたものである。そのため、セット部材は、直ちに初期位置へは復帰させられず、その後もその状態を保っていて、カメラのレリーズ時に、各々の電磁石が励磁されそれらの鉄片部材を磁気吸引力によって吸着保持すると、初期位置へ復帰させられるようにしている。そして、先羽根と後羽根の露光作動は、その後、各々の電磁石が順に消磁し、各鉄片部材の吸着保持力を解くことによって行われる。
【０００６】
本発明は、それらのうち、係止タイプのデジタルカメラ用フォーカルプレンシャッタに関するものであるが、下記の特許文献１には、そのような係止タイプであって、デジタルカメラにも、フィルムを使用するカメラにも採用することの可能なカメラ用フォーカルプレンシャッタが記載されている。
【０００７】
ところで、このような係止タイプのフォーカルプレンシャッタを備えたデジタルカメラの場合にも、最近では、光学式ビューファインダ（以下、光学ファインダという）を備えている場合であっても、液晶やＥＬ（エレクトロルミネッセンス）などの表示装置による電子式ビューモニタ（以下、モニタという）を用いて撮影することが可能であることが要求されている。そして、その場合には、撮影用の撮像素子を、モニタ用の撮像素子と兼用させるのが好ましい。最近では、係止タイプであるかダイレクトタイプであるかに関係なく、光学ファインダを用いて行う撮影を通常撮影（光学ビュー撮影）などと言うのに対して、このようなモニタを用いて行う撮影のことを、ライブビュー撮影などと言うようになってきている。
【０００８】
また、二つのシャッタ羽根を備えたフォーカルプレンシャッタにおいて、撮影用の撮像素子を兼用させるようにしたモニタを用いて行う撮影には、複数の撮影モードが知られている。その代表的な撮影モードとしては、セット状態では、先羽根と後羽根の両方を露光開口から退いた状態にしておき、撮影に際してレリーズボタンが押されると、その初期段階で、先羽根を露光開口を覆った状態に作動させ、次の段階で、先羽根と後羽根の両方に順に露光作動を行わせるようにしたものである。そして、そのような作動を可能にした係止タイプのデジタルカメラ用フォーカルプレンシャッタが、下記の特許文献２に記載されている。
【０００９】
また、そのような代表的な撮影モードのほかに、撮影者が、カメラに備えられている選択手段を操作して、上記の代表的な撮影モードでの撮影や光学ファインダを用いて行う撮影モードから切り換えて行うことを可能にした撮影モードとしては、先羽根と後羽根の両方を露光開口から退いた状態にしておき、撮影に際してレリーズボタンが押されると、先羽根を作動させず、電子制御回路が撮像素子を制御することによって撮影が開始され、後羽根が露光開口を閉鎖することによって撮影が終了するようにしたものがあるし、先羽根と後羽根の両方とも作動させず、撮影の開始と終了をいずれも電子制御回路が制御するようにしたものもある。更に、先羽根と後羽根の両方を露光開口から退いた状態にしておき、上記のような選択手段を操作したり第２のレリーズボタンを押すことによって、レリーズボタンを押している間は、電子制御回路が所定の動作を繰り返すことによって動画を撮影できるようにすることもある。
【先行技術文献】
【特許文献】
【００１０】
【特許文献１】特開２００１−３０５６０５号公報
【特許文献２】特開２００１−２１５５５５号公報
【発明の概要】
【発明が解決しようとする課題】
【００１１】
上記のように、特許文献１に記載されている係止タイプのフォーカルプレンシャッタをデジタルカメラに備えると、光学ファインダを用いて撮影することは可能であるが、モニタ用の撮像素子を撮影用の撮像素子で兼用させるようにしてモニタを用いて撮影することは不可能である。また、特許文献２に記載されている係止タイプのフォーカルプレンシャッタをデジタルカメラに備えると、モニタ用の撮像素子を撮影用の撮像素子で兼用させるようにしたモニタを用いて撮影することは可能であるが、光学ファインダを用いて撮影することもできるようにするためには、ハーフミラーを備える必要があるなど、カメラの性能上やコスト上で好ましくないという問題点がある。
【００１２】
本発明は、このような問題点を解決するためになされたものであり、その目的とするところは、光学ファインダを用いる撮影モードでの撮影と、撮影者が撮影前に予め操作をすることによって、モニタ用の撮像素子を撮影用の撮像素子で兼用させるようにしたモニタを用いる撮影モードでの撮影を可能にした、二つのシャッタ羽根を備えている係止タイプのデジタルカメラ用フォーカルプレンシャッタを提供することである。
【課題を解決するための手段】
【００１３】
上記の目的を達成するために、本発明は、シャッタ地板と補助地板との間を中間板で仕切って構成した二つの羽根室に先羽根と後羽根を個別に配置しているデジタルカメラ用フォーカルプレンシャッタにおいて、先羽根用駆動部材が先羽根用駆動ばねの付勢力によって回転し先羽根に露光作動を開始させるときまで該先羽根用駆動部材を係止している先羽根用係止部材と、後羽根用駆動部材が後羽根用駆動ばねの付勢力によって回転し後羽根に露光作動を開始させるときまで該後羽根用駆動部材を係止している後羽根用係止部材と、セット状態においては先羽根用電磁石の鉄芯部材に接触させられており該電磁石のコイルに通電されると該鉄心部材に吸着保持されそのあと通電が断たれると先羽根用解除ばねの付勢力によって該鉄心部材から離反し前記先羽根用係止部材による前記先羽根用駆動部材の係止を解く先羽根用係止解除手段と、セット状態においては後羽根用電磁石の鉄心部材に接触させられており該電磁石のコイルに通電されると該鉄心部材に吸着保持され前記先羽根用電磁石のコイルに対する通電が断たれたあと前記後羽根用電磁石のコイルへの通電が断たれると後羽根用解除ばねの付勢力によって該鉄心部材から離反し前記後羽根用駆動部材による前記後羽根用駆動部材の係止を解く後羽根用係止解除手段と、セット状態においては前記二つの係止解除手段を前記二つの解除ばねの付勢力に抗して押圧し前記二つの鉄心部材に接触させており撮影に際して前記二つの電磁石のコイルに通電されるとその押圧力を解き前記二つの係止解除手段の作動軌跡外に作動させられるホールド手段と、前記ホールド手段の往復作動により往復回動させられセット状態においては前記後羽根用係止解除手段の作動軌跡内に位置せしめられており前記ホールド手段が前記二つの係止解除手段の作動軌跡外に作動させられたとき前記後羽用電磁石のコイルに対して通電が断たれると前記後羽根用係止部材により前記後羽用駆動部材の係止を解くまえに前記後羽用電磁石の鉄心部材から離反作動する前記後羽根用係止解除手段の被抑止部が当接することにより該後羽根用係止解除手段を抑止し得る抑止部材と、を備えているようにする。
【００１４】
その場合、前記ホールド手段には係合部が設けられ、前記抑止部材にも係合部が設けられていて、前記抑止部材の回転軸にはねじりコイルばねが巻回されており、該ねじりコイルばねは、両方の腕部の間に前記抑止部材の係合部を存在させておき、両方の腕部の先端で前記ホールド手段の係合部を挟持する付勢力を有しており、前記ホールド手段は、セット位置への作動時には、その係合部が前記ねじりコイルばねの一方の腕部を押すことによって、他方の腕部に前記抑止部材の係合部を押させて、前記抑止部材を前記後羽根用係止解除手段の作動軌跡内に作動させ、セット位置からの作動時には、その係合部が前記ねじりコイルばねの他方の腕部を押すことによって、一方の腕部に前記係合部を押させて、前記抑止部材を前記後羽根用係止解除手段の作動軌跡外に作動させるようにすると極めて好適な構成になる。
【００１５】
また、前記後羽根用駆動部材が、同軸上に回転可能に取り付けられた後羽根用第１駆動部材と後羽根用第２駆動部材とで構成されており、該後羽根用第１駆動部材は、後羽根を連結していて、セット作動時には、セットばねの付勢力によって該後羽根用第２駆動部材に追従して回転し、該後羽根用第２駆動部材は、後羽根に露光作動を開始させる前には、前記後羽根用係止部材に係止されていて、その係止が解かれたときには、該セットばねの付勢力に抗して前記後羽根用駆動ばねの付勢力により該後羽根用第１駆動部材を押しながら回転するようにすると、シャッタ全体として、先羽根及び後羽根の作動方向の寸法を小さくすることが可能になる。
【００１６】
また、前記後羽根は、前記シャッタ地板に枢着された二つのアームと、それらのアームに対して長さ方向に順に枢支された複数枚の略短冊状をした羽根とからなっていて、セット状態においては、それらの羽根が露光開口から退いて重畳状態となるように構成されており、前記中間板は、セット状態のとき前記複数枚の羽根と重なる領域の外形縁が、露光開口側に向けて凸状となる円弧状をしていて、前記複数枚の羽根とは、それらの羽根の長さ方向の略中央部において、それらとの重なり幅が小さくなるように形成されているようにすると、中間板との接触面積が小さくなって、後羽根の露光作動の開始が円滑に行えるようになる。
【００１７】
また、前記ホールド手段は、所定の回転角度内で回転することが可能であってセット作動時には二つの押圧部によって前記二つの係止解除手段を前記二つの解除ばねの付勢力に抗して押圧し前記二つの鉄芯部材に接触させる押圧部材を有しており、セット状態においては、レリーズ部材によって係止されていて、前記レリーズ部材による係止を解かれると、ばねの付勢力によって作動し、前記二つの解除ばねの付勢力による前記二つの係止解除手段の作動を可能にするように構成されており、該ばねの付勢力による作動の停止時においては、前記押圧部材の少なくとも一方の押圧部が、前記シャッタ地板と一体の部材に取り付けられた緩衝部材に当接し得るようにすると、前記ホールド手段の静止状態が早く得られるので、カメラのレリーズボタンを押してから、先羽根が露光作動を開始するまでの時間を短縮することが可能になる。
【発明の効果】
【００１８】
本発明は、二つのシャッタ羽根を備えている係止タイプのデジタルカメラ用フォーカルプレンシャッタにおいて、抑止部材が、ホールド手段の往復作動に連動して往復回転させられ、セット完了状態においては後羽根用係止解除手段の作動軌跡内に作動させられるようにしたから、光学ファインダを用いる撮影モードでの撮影と、モニタ用の撮像素子を撮影用の撮像素子で兼用させるようにしたモニタを用いる撮影モードでの撮影を、撮影者が撮影前に選択して行なえるという特徴がある。
【図面の簡単な説明】
【００１９】
【図１】露光作動終了直後の状態を示した平面図であって、シャッタ羽根の制御機構については、主に、シャッタ地板の近くに配置されている開閉駆動機構の構成部材だけを示したものである。
【図２】図１における左約半分だけを示した平面図である。
【図３】図１及び図２と同じ状態を図２と同じようにして示した平面図であって、主に、図２に示されている開閉駆動機構よりもシャッタ地板から離れて重なるように配置されている係止解除機構の構成部材を示したものである。
【図４】図３に示されている後羽根用解除部材の単品図であって、図４（ａ）は、図３と同じようにして示した平面図であり、図４（ｂ）は、図４（ａ）の右側から見た要部の側面図である。
【図５】図２に示されている開閉駆動機構のオーバーセット状態を示した平面図である。
【図６】図２に示されている開閉駆動機構のセット完了状態を示した平面図である。
【図７】図３に示されている係止解除機構のセット完了状態を示した平面図である。
【図８】図３に示されている係止解除機構が、カメラのレリーズ直後に発生させる現象を示した平面図である。
【図９】図８に示した状態の直後における係止解除機構の状態を示した平面図である。
【図１０】光学ファインダを用いる撮影モードで静止画像を撮影する場合における主な構成部材の作動関係を示したタイミングチャートである。
【図１１】モニタを用いる撮影モードで撮影する場合における係止解除機構の撮影待機状態を示す平面図である。
【図１２】モニタを用いる撮影モードで撮影する場合における開閉駆動機構の撮影待機状態を示す平面図である。
【図１３】モニタを用いる撮影モードで静止画像を撮影する場合における主な構成部材の作動関係を示したタイミングチャートである。
【発明を実施するための形態】
【００２０】
本発明の実施の形態を、図示した実施例によって説明する。尚、本実施例の係止タイプのデジタルカメラ用フォーカルプレンシャッタは、先羽根が露光開口を開き始めることによって撮影露光を開始し、後羽根が露光開口を閉じ終わることによって撮影露光を終了するようにした撮影を、種々の作動形態で作動させ得るものであるが、実施例の作動説明は、通常は、光学ファインダを用いる撮影モードでの撮影を行うが、カメラに備えられている選択手段を撮影前に操作したときだけは、モニタを用いる撮影モードでの撮影が可能になり、モニタを用いる撮影モードで撮影する場合には、静止画像の撮影と動画撮影とを選択的に行えるようにしたものとして説明する。
【実施例】
【００２１】
先ず、主に、図１〜図４を用いて本実施例の構成を説明する。尚、図１は、露光作動終了直後の状態を示した平面図であって、シャッタ地板の背面側に配置されているシャッタ羽根などの構成も破線で示している。しかし、シャッタ地板の表面側（手前側）に配置されていて、主に開閉駆動機構と係止解除機構とからなるシャッタ羽根の制御機構については、シャッタ地板の近くに配置されている開閉駆動機構の構成部材だけを示してある。また、図２は、図１における左約半分だけを拡大して示した平面図である。
【００２２】
また、図３は、図２に示されている開閉駆動機構と重なるようにして、開閉駆動機構よりもシャッタ地板から離れて配置されている係止解除機構の構成部材を、図２に示されている開閉駆動機構と同様に、露光作動終了直後の状態で示したものである。そのため、図３には、図２に示されている一部の構成も示されている。更に、図４は、図３に示されている後羽根用解除部材の単品図であって、図４（ａ）は、図３と同じようにして示した平面図であり、図４（ｂ）は、図４（ａ）の右側から見た要部の側面図である。
【００２３】
図１において、シャッタ地板１は、その略中央部に開口部１aを形成している。シャッタ地板１の背面側には、所定の間隔を空けて、中間板２と補助地板３が順に取り付けられており、シャッタ地板１と中間板２との間に後述する先羽根の羽根室を構成し、中間板２と補助地板３との間に後述する後羽根の羽根室を構成している。また、中間板２にも、開口部１ａと重なるところに独特の形状をした開口部２ａが形成されていて、補助地板３にも、開口部１ａと重なるところに、開口部１ａよりも若干大きな長方形の開口部２ａが形成されている。通常、長方形を横長にした形状をしている露光開口（シャッタとして被写体光を通過させる開口）は、それらの開口部１ａ，２ａ，３ａの一つだけによって形成されるか、二つ以上によって合成されるようにしているが、本実施例の場合には、開口部１ａだけによって形成されている。
【００２４】
また、本実施例の中間板２は、右上隅と、左下隅と、右下隅の３箇所に形成されている取付け孔によってシャッタ地板１に取り付けられている。そして、開口部２ａの左側となる外形形成縁の形状は、周知のように、後述する二つの駆動ピンの作動軌跡を避けるようにして複雑な形状に形成されている。また、この中間板２は、開口部２ａの上方となる外形形成縁２ｂの形状が、開口部２ａ側に向けて、即ち本実施例では開口部１ａである露光開口側に向けて凸状となる円弧状に形成されているが、その理由は、後述する作動説明の中で説明する。また、補助地板３の外形形状は、シャッタ地板１と略同じであるが局部的に若干小さく形成されており、中間板２の場合と同じ３箇所のほか、図示していない左上隅の１箇所でシャッタ地板１に取り付けられている。尚、図２においては、図１に示されている補助地板３の外形形状の図示が省略されている。
【００２５】
図１及び図２に示されているように、シャッタ地板１には、開口部１ａの左側の領域に、円弧状の二つの長孔１ｂ，１ｃが形成されており、それらの下端部には、周知のように、平面形状が略Ｃ字状をしたゴム製の緩衝部材４，５が取り付けられている。また、シャッタ地板１には、開口部１ａの左側の領域に、三つの柱１ｄ，１ｅ，１ｆが立設されている。それらのうち、柱１ｆは、その先端に形成されているねじ孔に図３に示されているねじ６を螺合させることによって、上地板７を取り付けている。また、柱１ｄ，１ｅは、長さ方向の途中で上地板７を取り付けているほか、図３に示されているように、上地板７に立設されている柱７ａ及び軸７ｂと共に、それらの先端に形成されているねじ孔に図示していないねじを螺合させることにより、カバー板８（外形が二点鎖線で示されている）を取り付けている。
【００２６】
次に、主に図２を用いて、シャッタ地板１と上地板７との間に配置されている構成部材を説明するが、その前に、それらを取り付けるためにシャッタ地板１に立設されている軸部材を説明する。シャッタ地板１には、上地板７に向けて六つの軸１ｇ，１ｈ，１ｉ，１ｊ，１ｋ，１ｍが立設されている。それらのうち、軸１ｇ，１ｈは、シャッタ地板１を貫通していて背面側にも軸部を立設しており、シャッタ地板１の背面側に立設された軸１ｎ，１ｐと共に、後述する先羽根の二つのアームと後羽根の二つのアームを、それぞれ回転可能に取り付けるようにしている。また、軸１ｋ，１ｍは、先端に形成されている小径部を上地板７に形成された孔に嵌合させ、リング状の段差端面で上地板７を支える役目もしている。
【００２７】
そこで先ず、シャッタ地板１の上記の柱１ｄには、リング状の緩衝部材９が取り付けられている。また、上記の軸１ｇには、上地板７側に立設されている軸部に、先羽根用駆動部材１０が回転可能に取り付けられており、図示していない先羽根用駆動ばねによって、時計方向へ回転するように付勢されている。また、この先羽根用駆動部材１０は、被係止部１０ａを有しており、上地板７側の面にはローラー１０ｂを回転可能に取り付け、シャッタ地板１側には駆動ピン１０ｃを有している。そして、その駆動ピン１０ｃは、シャッタ地板１の長孔１ｂを貫通しており、根元部が上記の緩衝部材４に当接し得るようになっていて、先端部は、羽根室内で先羽根に連結されている。その先羽根の構成については後述する。
【００２８】
シャッタ地板１の上記の軸１ｈには、上地板７側に立設されている軸部に、後羽根用第１駆動部材１１と、後羽根用第２駆動部材１２とが、後羽根用第１駆動部材１１をシャッタ地板１側にして、個々に回転可能に取り付けられている。そして、後羽根用第１駆動部材１１は、上地板７側に円柱形をした係合部１１ａを設けており、シャッタ地板１側には駆動ピン１１ｂを有している。そして、その駆動ピン１１ｂは、シャッタ地板１の長孔１ｃを貫通しており、根元部が上記の緩衝部材５に当接し得るようになっていて、先端部は、羽根室内で後羽根に連結されている。その後羽根の構成については後述する。
【００２９】
また、後羽根用第２駆動部材１２は、被係止部１２ａと、上記の係合部１１ａを挿入させた窓部１２ｂとを有していて、上地板７側にはローラー１２ｃを回転可能に取り付けている。そして、この後羽根用第２駆動部材１２は、図示していない後羽根用駆動ばねによって、時計方向へ回転するように付勢されている。また、本実施例の場合には、この後羽根用第２駆動部材１２と上記の後羽根用第１駆動部材１１との間に、図示していないセットばねが掛けられていて、後羽根用第２駆動部材１２を時計方向へ回転させ、後羽根用第１駆動部材１１を反時計方向へ回転させるように付勢している。しかし、この種の構成では周知のように、そのセットばねを二つに分け、一方のばねが、後羽根用第２駆動部材１２を時計方向へ回転させるように付勢し、他方のばねが、後羽根用第１駆動部材１１を反時計方向へ回転させるように付勢するように構成しても構わない。
【００３０】
シャッタ地板１の上記の軸１ｉには、セット部材１３が回転可能に取り付けられており、図示していないばねによって、反時計方向へ回転するように付勢されている。そして、このセット部材１３は、シャッタ地板１側の面に、上記した先羽根用駆動部材１０のローラー１０ｂに接触し得るローラー１３ａと、上記した後羽根用第２駆動部材１２のローラー１２ｃに接触し得るローラー１３ｂとを回転可能に取り付けている。
【００３１】
シャッタ地板１の上記の軸１ｊには、セット操作部材１４が回転可能に取り付けられている。このセット操作部材１４は、カメラ本体側の部材によって操作されるローラー１４ａを回転可能に取り付けていると共に、シャッタ地板１側の面に軸１４ｂを立設している。そして、このセット操作部材１４は、リンク部材１５を介して上記のセット部材１３に連結されている。即ち、リンク部材１５には一端に孔が形成されていて、そこに、セット操作部材１４の上記の軸１４ｂが回転可能に嵌合している。また、リンク部材１５の他端には、上地板７側にピン１５ａが設けられ、そのピン１５ａと同心となるようにしてシャッタ地板１側には軸が立設されている。そして、その軸が、セット部材１３に形成されている孔に回転可能に嵌合している。
【００３２】
そのため、図１においては、セット操作部材１４は、セット部材１３が図示していないばねの付勢力によって反時計方向へ回転したのに伴って、リンク部材１５を介して反時計方向へ回転させられ、緩衝部材９をストッパとして停止させられた状態になっている。尚、このセット操作部材１４は、セット作動時に、カメラ本体側の部材によってローラー１４ａを押されて時計方向へ回転させられたとき、リンク部材１５を介して、セット部材１３を時計方向へ回転させるためのものであるが、このようなセット操作部材１４を備えることなく、セット作動時には、直接、カメラ本体側の部材によって、セット部材１３を時計方向へ回転させるようにしても構わない。その場合には、後述の説明からも分かるように、リンク部材１５に設けられている上記のピン１５ａを、セット部材１３に設ける必要がある。
【００３３】
シャッタ地板１の上記の軸１ｋには、先羽根用係止部材１６が回転可能に取り付けられていて、図示していないばねによって、反時計方向へ回転するように付勢されている。この先羽根用係止部材１６は、シャッタ地板１側に折り曲げた係止部１６ａを有しているが、この係止部１６ａは、先羽根用駆動部材１０の被係止部１０ａを係止し、先羽根用駆動部材１０の時計方向への回転を阻止するためのものである。また、この先羽根用係止部材１６は、上地板７側に折り曲げた折曲部の上端に、さらに上地板７側に突出させた被押動部１６ｂを有していて、その被押動部１６ｂを、上地板７の略長方形をした孔７ｃ（図３参照）に挿入することによって、上地板７とカバー板８との間に配置させるようにしている。
【００３４】
シャッタ地板１の上記の軸１ｍには、後羽根用係止部材１７が回転可能に取り付けられていて、図示していないばねによって、時計方向へ回転するように付勢されている。この後羽根用係止部材１７は、シャッタ地板１側に折り曲げた係止部１７ａと、上地板７側に折り曲げた被押動部１７ｂを有している。そして、それらのうち、係止部１７ａは、後羽根用第２駆動部材１２の被係止部１２ａを係止し、後羽根用駆動部材１２の時計方向への回転を阻止するためのものである。また、被押動部１７ｂは、図３に示されているように、上地板７とカバー板８の側方において、その先端が、上地板７とカバー板８との間に位置するようにしている。
【００３５】
図３に示されているように、上地板７には、カバー板８に向けて軸７ｄが立設されているが、その軸７ｄと同心上に、シャッタ地板１側に向けて軸７ｅが立設されており、その軸７ｅには、補助セット部材１８が回転可能に取り付けられている。そして、この補助材セット部１８には、ばねが掛けられていない。また、この補助セット部材１８は、押動部１８ａと、円弧状をした長孔１８ｂと、大きな逃げ孔１８ｃとを有していて、長孔１８ｂには、上記したリンク部材１５のピン１５ａが挿入されている。そのため、この補助セット部材１８は、セット部材１３が時計方向へ回転すると反時計方向へ回転し、その後、セット部材１３が反時計方向へ回転すると時計方向へ回転するようになっている。また、逃げ孔１８ｃは、先羽根用係止部材１６の被押動部１６ｂを貫通させ、上地板７の孔７ｃに挿入し得るようにしていると共に、作動する上で、被押動部１６ｂと干渉しない形状をしている。尚、図３には、リンク部材１５のピン１５ａが図示されているが、作動説明で用いる図７〜図９及び図１２においては図示を省略されている。
【００３６】
次に、主に図３を用いて、上地板７とカバー板８との間に配置されている構成部材を説明するが、その前に、上地板７の全体の形状と、それらの構成部材を取り付けるためにカバー板８側に向けて上地板７に立設されている軸部材などについて説明する。先ず、上地板７は、図３において実線で示されているように、全体として上下方向に長い形状をしているが、右半分は同一平面領域として形成されているのに対して、左半分は、右半分の領域から左方向へ張り出した三つの張出し領域として形成されている。
【００３７】
そして、真中の張出し領域は、右半分の領域と同一平面となるように形成されているのに対して、上下二つの張出し領域は、折曲部７ｆ，７ｇ，７ｈを介して段差が付けられており、真中の張出し領域よりもカバー板８側に高くなるように形成されている。また、二つの折曲部７ｇ，７ｈの間には、特殊な形状をした細長い窓部７ｉが形成されている。更に、このような上地板７の右上方部には折曲部７ｊが形成され、右下方部には被当接部７ｋが形成されているが、折曲部７ｊは、シャッタ地板１側に折り曲げられていて、上記の後羽根用係止部材１７が反時計方向へ回転させられたときのストッパの役目をするものである。
【００３８】
このような形状をした上地板７には、既に説明した軸７ｂ，７ｄのほかに、カバー板８に向けて三つの軸７ｍ，７ｎ，７ｒが立設されている。そして、それらのうち、軸７ｄ，７ｒは、先端に形成されている小径部をカバー板８に形成された孔に嵌合させ、リング状の段差端面でカバー板８を支えている。また、上地板７の上記した真中の張出し領域には、二つの位置決めピン７ｐ，７ｑが、カバー板８側に向けて立設されている。
【００３９】
そこで次に、このような上地板７に取り付けられている構成部材を説明する。先ず、先羽根用電磁石１９と後羽根用電磁石２０は、鉄芯部材１９ａ，２０ａに設けられている孔を上記の位置決めピン７ｐ，７ｑに嵌合させた後、ねじ２１，２２によって上地板７に取り付けられている。これらの電磁石１９，２０は、Ｕ字形をしていて各々の二つの脚部の先端を磁極部とした上記の鉄芯部材１９ａ，２０ａと、コイル１９ｂ，２０ｂを巻回していて鉄芯部材１９ａ，２０ａの一方の脚部に嵌装されたボビン１９ｃ，２０ｃとからなっている。そのため、鉄芯部材１９ａ，２０ａの脚部は、上地板７の表面には接しておらず、浮いていることになる。
【００４０】
上地板７の上記の軸７ｒには、先羽根用係止解除部材２３が回転可能に取り付けられており、図示していない先羽根用解除ばねによって時計方向へ回転するように付勢されている。この先羽根用係止解除部材２３は、先羽根用係止部材１６の被押動部１６ｂを押す押動部２３ａを有しているほか、先端に形成された折曲部には鉄片部材２４を、周知のようにして取り付けている。そして、その鉄片部材２４には、被押動部２４ａが、その折曲部の右側に突き出るようにして設けられている。
【００４１】
上地板７の上記の軸７ｂには、後羽根用係止解除部材２５が回転可能に取り付けられており、図示していない後羽根用解除ばねによって反時計方向へ回転するように付勢されている。この後羽根用係止解除部材２５は、後羽根用係止部材１７の被押動部１７ｂを押す押動部２５ａを有しているほか、先端に形成された折曲部には鉄片部材２６を取り付けている。そして、その鉄片部材２６には、被押動部２６ａが、その折曲部の右側に突き出るようにして設けられている。また、図３では明示しにくいので、図４の単品図に示したように、この後羽根用係止解除部材２５は、鉄片部材２６を取り付けている折曲部に、上地板７に向けて被抑止部２５ｂを形成している。
【００４２】
上地板７の上記の軸７ｄには、ホールド部材２７とホールド補助部材２８とが回転可能に取り付けられている。そして、ホールド部材２７は、上記の先羽根用係止解除部材２３よりも上地板７側に配置されている。また、ホールド部材２７は、図示していない第１のばねによって時計方向に回転するように付勢されており、ホールド部材２７とホールド補助部材２８との間には、ホールド部材２７を反時計方向へ回転させるように付勢し、ホールド補助部材２８を時計方向へ回転させるように付勢している図示していない第２のばねが掛けられている。そして、図３においては、ホールド部材２７とホールド補助部材２８との相対関係は、上記の第２のばねの付勢力によって互いに異なる方向へ回転し得る限度状態になっており、しかも、両者は、上記の第１のばねの付勢力によって、一緒に時計方向へ回転して停止させられた状態になっている。
【００４３】
そのため、図３の状態において、ホールド補助部材２８が反時計方向へ回転させられると、上記の第１のばねの付勢力に抗して、ホールド部材２７も一緒に反時計方向へ回転させられ、その後、ホールド補助部材２８を反時計方向へ回転させる力が失われると、上記の第１のばねの付勢力によって両者は一緒に時計方向へ回転させられるようになっているが、ホールド部材２７とホールド補助部材２８とが一緒に反時計方向へ回転されてゆき、ホールド部材２７の回転が阻止されるようになった場合には、上記の第２のばねを緊張させながら、ホールド補助部材２８だけが、反時計方向への回転を若干続け得るようになっている。尚、両者間をこのように構成することは周知であって、その具体的な構成の一例が、例えば、特開２００７−３４０４２号公報に記載されている。
【００４４】
ホールド部材２７の先端には軸２７ａが立設されていて、その軸２７ａには、周知の押圧部材２９が取り付けられている。この押圧部材２９は、図３の上下方向に延伸して形成された二つの押圧部２９ａ，２９ｂを有していて、それらで、上記の鉄片部材２４，２６の被押動部２４ａ，２６ａを押し、鉄片部材２４，２６を鉄芯部材１９ａ，２０ａに押圧し得るようになっている。そして、この押圧部材２９は、二つの鉄片部材２４，２６を鉄芯部材１９ａ，２０ａに確実に押圧できるようにするために、周知の構成により、軸２７ａに対して所定の角度だけ回転し得るようにして取り付けられている。更に、このホールド部材２７の先端には、後述する抑止部材３１を連動させるために係合ピン２７ｂが上地板７側に立設されている。他方、ホールド補助部材２８は、その先端が、窓部７ｉを通って上地板７の背面側に配置されており、シャッタ地板１側に折り曲げられた被押動部２８ａが、補助セット部材１８の押動部１８ａによって押され得るようになっている。
【００４５】
上地板７の上記の軸７ｍには、レリーズ部材３０が回転可能に取り付けられていて、図示していないばねによって、反時計方向へ回転するように付勢されている。このレリーズ部材３０は、一方の腕部の先端に係止部３０ａを有していて、他方の腕部の先端に被押動部３０ｂと当接部３０ｃを有しており、上記のホールド補助部材２８よりも上地板７側に配置されている。そして、係止部３０ａは、窓部７ｉを通っていて、上地板７の背面側で、ホールド補助部材２８の被押動部２８ａを係止し、ホールド補助部材２８の時計方向の回転を阻止し得るようになっている。また、被押動部３０ｂは、図示していないカメラ本体側の部材によって押される部位であり、当接部３０ｃは、レリーズ部材３０が、図示していないばねの付勢力によって反時計方向へ回転させられたとき、上地板７に形成された上記の被当接部７ｋに当接する部位である。
【００４６】
上地板７の上記の軸７ｎには、抑止部材３１が回転可能に取り付けられている。そして、この抑止部材３１は、抑止部３１ａと、その両側に形成された回り止め部３１ｂ，３１ｃと、カバー板８側に折り曲げて形成した係合部３１ｄとを有している。この抑止部材３１は、上記したように、ホールド部材２７の作動に連動して回転させられるようになっているが、それは、連結ばね３２の存在によって可能になっている。即ち、連結ばね３２は、軸７ｎに巻回されていて、その付勢力によって、両端の二つの長い腕部３２ａ，３２ｂが、ホールド部材２７の係合ピン２７ｂと上記の係合部３１ｄとを挟むように構成されている。
【００４７】
上地板７とカバー板８との間には、もう一つの部材が配置されている。即ち、カバー板８には、図３の中央右端に、上地板７側に向けて、折曲部８ａが上下方向に細長く形成されており、その折曲部８ａの左側に、細長い直方体をしたゴム製の緩衝部材３３が接着剤で取り付けられている。そして、この緩衝部材３３は、図３においては、ホールド部材２７や抑止部材３１と一部が重なって示されているが、実際には、カバー板８側に寄ったところで折曲部８ａに取り付けられているため、ホールド部材２７や抑止部材３１の作動には影響を与えず、ホールド部材２７に取り付けられている押圧部材２９の押圧部２９ａ，２９ｂだけが当接し得るように配置されている。
【００４８】
次に、既に説明した中間板２と補助地板３以外に、シャッタ地板１の背面側に配置されている構成部材を、図１及び図２を用いて説明する。先ず、シャッタ地板１と中間板２の間に配置されている先羽根は、シャッタ地板１に立設された二つの軸１ｇ，１ｎに一端を枢着されている二つのアーム３３，３４と、それらの自由端に向けて順に枢支された４枚の羽根３５，３６，３７，３８とで構成されていて、それらの最先端に枢支された羽根３８をスリット形成羽根としている。そして、アーム３３は、周知の孔に、先羽根用駆動部材１０の駆動ピン１０ｃを嵌合させていると共に、軸１ｇに対する枢着部の近傍に、二つの遮光部３３ａ，３３ｂを形成している。また、アーム３３，３４と羽根３５，３６，３７，３８との重なり関係は、アーム３３，３４が最もシャッタ地板１側に存在し、羽根３５が最も中間板２側に存在するようになっている。
【００４９】
また、中間板２と補助地板３の間に配置されている後羽根は、シャッタ地板１に立設された二つの軸１ｈ，１ｐに一端を枢着されている二つのアーム３９，４０と、それらの自由端に向けて順に枢支された４枚の羽根４１，４２，４３，４４とで構成されていて、それらの最先端に枢支された羽根４４をスリット形成羽根としている。そして、アーム３９は、周知の孔に、後羽根用第１駆動部材１１の駆動ピン１１ｂを嵌合させていると共に、軸１ｈに対する枢着部の近傍に、二つの遮光部３９ａ，３９ｂを形成している。また、アーム３９，４０と羽根４１，４２，４３，４４との重なり関係は、アーム３９，４０が最も補助地板３側に存在し、羽根４１が最も中間板２側に存在するようになっている。
【００５０】
最後に、シャッタ地板１の背面側には、軸１ｇ，１ｈの近傍部に、同じ構成をした二つの光電センサー４５，４６が取り付けられている。これらの光電センサー４５，４６は、一般にフォトインターラプタといわれているものであって、発光部と受光部とが対向して配置されていて、発光部から出射した光を受光部で受光するように構成されており、受光部が受光しているときはＨ（High）信号を出力し、受光していないときにはＬ（Low）信号を出力するようになっている。そして、本実施例の場合には、上記のアーム３３の遮光部３３ａ，３３ｂが、光電センサー４５の光路を遮断し、上記のアーム３９の遮光部３９ａ，３９ｂが、光電センサー４６の光路を遮断し得るようになっている。
【００５１】
次に、本実施例の作動を説明するが、上記したように、本実施例の作動説明は、通常は光学ファインダを用いた静止画像の撮影を行うが、撮影者が撮影前に選択操作した場合には、モニタを用いた撮影が可能になり、しかも、モニタを用いて撮影する場合は、静止画像の撮影と動画撮影とを選択して行えるようにしたものとして説明する。そのため、本実施例のフォーカルプレンシャッタを組み込んだデジタルカメラには、モニタを用いる撮影モードで撮影するときの選択スイッチと、静止画撮影用のレリーズボタンと、動画撮影用のレリーズボタンとが備えられていることにする。そこで先ず、撮影者が光学ファインダを用いる撮影モードで撮影する場合を、上記の図１〜図３のほかに、図５〜図１０を用いて説明する。
【００５２】
図１〜図３は、既に説明したように、露光作動終了直後の状態を示したものである。このとき、図１及び図２に示されているセット部材１３は、図示していないばねの付勢力によって反時計方向へ回転するように付勢されているが、このセット部材１３と連動しているセット操作部材１４が緩衝部材９に接触していることによって、この停止状態が維持されている。以下、セット部材１３については、この停止位置を初期位置ということにする。また、このとき、先羽根用駆動部材１０と後羽根用第１駆動部材１１は、それらの駆動ピン１０ｃ，１１ｂを緩衝部材４，５に当接させ、時計方向の回転を停止させられており、それによって、先羽根の４枚の羽根３５〜３８は、相互の重なり量を最大にした重畳状態となって、開口部１ａの下方領域に格納され、後羽根の４枚の羽根４１〜４４は、相互の重なり量を最小にした展開状態になって、開口部１ａを閉鎖している。
【００５３】
また、このとき、ホールド部材２７とホールド補助部材２８は、図示していない上記の第１ばねによって時計方向へ回転するように付勢されているが、図３に示されているように、ホールド補助部材２８の被押動部２８ａが、補助セット部材１８の押動部１８ａに接触していることによって、その回転を阻止されている。また、このとき、抑止部材３１は、ホールド部材２７の係合ピン２７ｂが連結ばね３２の腕部３２ｂを押した結果、係合部３１ｄが連結ばね３２の他方の腕部３２ａによって押され、反時計方向への最大回転位置で停止状態にさせられている。
【００５４】
更に、先羽根用係止解除部材２３は、図示していない先羽根用解除ばねの付勢力によって時計方向へ回転させられ、鉄片部材２４を先羽根用電磁石１９の鉄芯部材１９ａから離反させており、押動部２３ａが先羽根用係止部材１６の被押動部１６ｂを上地板７の孔７ｃの縁に押し付けた状態で停止させられている。また、後羽根用係止解除部材２５は、図示していない後羽根用解除ばねの付勢力によって反時計方向へ回転させられ、鉄片部材２６を後羽根用電磁石２０の鉄芯部材２０ａから離反させており、押動部２５ａが後羽根用係止部材１７の被押動部１７ｂを押し、後羽根用係止部材１７を上地板７の折曲部７ｊに押し付けた状態で停止させられている。
【００５５】
先羽根と後羽根の露光作動が終了して、このような状態になると、撮像情報が、撮像素子から情報処理回路を介して転送され、記憶装置に記憶された後、直ちにセット作動が行われる。本実施例の場合、そのセット作動は、セット操作部材１４が、図示していないカメラ本体側の部材によってローラー１４ａを押され、時計方向へ回転させられることによって行われる。セット操作部材１４が、図２において、時計方向へ回転すると、それに連動して、セット部材１３は、図示していないばねの付勢力に抗して時計方向へ回転させられる。そのため、一方では、セット部材１３の二つのローラー１３ａ，１３ｂが、開閉駆動機構をセットしていくことになり、他方では、リンク部材１５のピン１５ａが、図３において補助セット部材１８を反時計方向へ回転させ、係止解除機構をセットしていくことになる。そして、それらのセット作動は、並行して行われていくことになるが、説明の都合上、開閉駆動機構のセット作動の方から説明する。
【００５６】
そこで先ず、図２において、セット部材１３が時計方向へ回転を開始すると、最初に、ローラー１３ａが先羽根用駆動部材１０のローラー１０ｂを押し、先羽根用駆動部材１０を、図示していない先羽根用駆動ばねの付勢力に抗して、反時計方向へ回転させるので、開口部１ａの下方位置に格納されていた先羽根の４枚の羽根３５〜３８が、隣接する羽根同士の重なり量を小さくしつつ、スリット形成羽根３８を先頭にして上方へ作動させられていく。そして、先羽根のスリット形成羽根３８と後羽根のスリット形成羽根４４の重なりが所定量に達すると、セット部材１３の他方のローラー１３ｂが、後羽根用第２駆動部材１２のローラー１２ｃを押し始めるため、後羽根用第２駆動部材１２は、図示していない後羽根用駆動ばねの付勢力に抗して、反時計方向へ回転させられようになる。
【００５７】
また、上記したように、図示していないセットばねが、後羽根用第１駆動部材１１と後羽根用第２駆動部材１２との間に掛けられていて、後羽根用第１駆動部材１１を反時計方向へ回転させ且つ後羽根用第２駆動部材１２を時計方向へ回転させるように付勢しているので、後羽根用第２駆動部材１２が、上記のようにして、セット部材１３によって反時計方向へ回転させられると、先羽根用第１駆動部材１１も、その係合部１１ａが後羽根用第２駆動部材１２の窓部１２ｂの縁に追従して、反時計方向へ回転させられる。そのため、後羽根の４枚の羽根４１〜４４は、その時点から隣接する羽根同士の重なり量を小さくしつつ上方へ作動させられていく。そして、それ以後は、先羽根と後羽根は、スリット形成羽根同士の重なり量を好適に保ちながら作動を続けていくことになる。
【００５８】
このようにして、セット作動が行われてゆき、先羽根の４枚の羽根３５〜３８が展開状態となって開口部１ａを覆い、後羽根の４枚の羽根４１〜４４が重畳状態となって開口部１ａの上方位置に格納された段階になると、後羽根用第１駆動部材１１は、その駆動ピン１１ｂが、シャッタ地板１に形成されている円弧状の長孔１ｃの上端に当接して停止させられる。
【００５９】
そして、先羽根用駆動部材１０と後羽根用第２駆動部材１２は、その後も、僅かに反時計方向への回転を続けるので、先羽根の４枚の羽根３５〜３８も上方への作動を続けるが、後羽根の４枚の羽根４１〜４４は停止したままになるため、後羽根用第１駆動部材１１と後羽根用第２駆動部材１２の間に掛けられた図示していないセットばねが緊張されていく。つまり、本実施例の場合には、このような作動を可能にしたことによって、後羽根用第２駆動部材１２がそれ以上回転しても、後羽根の４枚の羽根４１〜４４は、それに伴って、それ以上は上方へ作動させられないようにしている。そのため、後羽根の格納領域のスペース、言い換えれば、開口部１ａの上端縁からシャッタ地板１の上端縁までの距離が小さくて済むので、光学ファインダなどの図示していないカメラ本体側の構成部材を、少しでも有利に設置できるようになっている。従って、そのようにする必要がない場合には、後羽根用第１駆動部材１１と後羽根用第２駆動部材１２を、一つの部材にしても構わない。
【００６０】
上記のように、後羽根用第１駆動部材１１の回転が停止した後も、先羽根用駆動部材１０と後羽根用第２駆動部材１２が、なおも反時計方向へ回転させられていくと、先羽根用駆動部材１０は、その被係止部１０ａが、その段階では既に被係止部１０ａの作動軌跡内に存在している（その理由は、後述の係止解除機構のセット作動説明から理解することができる）係止部１６ａを押し、先羽根用係止部材１６を、図示していないばねの付勢力に抗して僅かに時計方向へ回転させ始める。そして、先羽根用駆動部材１０がなおも回転してそれらの接触が解かれると、先羽根用係止部材１６は、図示していないばねの付勢力によって反時計方向へ回転させられて、係止部１６ａによる被係止部１０ａの係止可能状態になる。
【００６１】
他方、上記のように、先羽根用駆動部材１０の被係止部１０ａが、先羽根用係止部材１６の係止部１６ａを押している段階では、後羽根用第２駆動部材１２も、その被係止部１２ａが、既にその被係止部１２ａの作動軌跡内に存在している（後述の係止解除機構のセット作動説明から理解することができる）係止部１７ａを押し、後羽根用係止部材１７を、図示していないばねの付勢力に抗して、反時計方向へ回転させ始めている。そして、後羽根用第２駆動部材１２がなおも回転することによってそれらの接触が解かれると、後羽根用係止部材１７は、図示していないばねの付勢力によって時計方向へ回転させられ、係止部１７ａによる被係止部１２ａの係止可能状態になる。そして、その段階になると、カメラ本体側の部材によるセット操作部材１４の時計方向の回転が停止する。そのときの状態が、図５に示されたオーバーセット状態である。
【００６２】
このようなオーバーセット状態になると、図示していないカメラ本体側の部材が、セット操作部材１４のローラー１４aから離れていく。そのため、セット部材１３は、図示していないばねの付勢力によって反時計方向へ回転し得るようになり、リンク部材１５を介して、セット操作部材１４を反時計方向へ回転させながら、初期位置へ復帰していく。
【００６３】
他方、この回転によって、セット部材１３のローラー１３ａ，１３ｂが、二つの駆動部材１０，１２のローラー１０ｂ，１２ｃに対する押圧力を解いていくので、それらの駆動部材１０，１２は、図示していない駆動ばねの付勢力によって時計方向へ回転させられるが、いずれも僅かに回転したところで、それらの被係止部１０ａ，１２ａが上記の各係止部材１６，１７の係止部１６ａ，１７ａによって係止され、停止させられる。また、この僅かな回転で、先羽根の４枚の羽根３５〜３８は僅かに下方へ作動させられるが、開口部１ａの一部を開いてしまうようなことはない。そして、その後、セット部材１３が初期位置で停止すると、セット作動が完了するが、図６は、そのセット完了状態、即ち光学ファインダを用いる撮影モードで撮影するときの撮影待機状態を示したものである。
【００６４】
次に、セット作動時に、セット部材１３が、図示していないばねの付勢力に抗して時計方向へ回転し、リンク部材１５のピン１５ａによって、係止解除機構をセットする場合を説明する。セット部材１３が図２において時計方向へ回転すると、図３に示されている補助セット部材１８は、その長孔１８ｂの幅方向の縁をリンク部材１５のピン１５ａに押されて反時計方向へ回転させられ、その押動部１８ａによってホールド補助部材２８の被押動部２８ａを押し、図示していない上記の第１ばねの付勢力に抗して、ホールド部材２７とホールド補助部材２８を反時計方向へ回転させていく。
【００６５】
それにより、ホールド部材２７の先端に取り付けられている押圧部材２９は、その二つの押圧部２９ａ，２９ｂによって鉄片部材２４，２６の被押動部２４ａ，２６ａを押し、各々の図示していないばねの付勢力に抗して、先羽根用係止解除部材２３を反時計方向へ回転させ、後羽根用係止解除部材２５を時計方向へ回転させていく。また、その回転に伴って、二つの係止解除部材２３，２５の押動部２３ａ，２５ａが、上記の先羽根用係止部材１６と後羽根用係止部材１７の被押動部１６ｂ，１７ｂに対する押圧力を解いていくので、それらの係止部材１６，１７は、各々の図示していないばねの付勢力によって回転していく。その結果、上記の開閉駆動機構の作動説明で述べたように、それらの係止部１６ａ．１７ａが、二つの駆動部材１０，１２に形成されている被係止部１０ａ，１２ａの作動軌跡内に存在するようになる。そして、そのような係止部材１６，１７の回転は、最終的には、被押動部１６ｂ，１７ｂが上地板７の縁に当接して停止する。
【００６６】
また、ホールド部材２７は、上記のようにして、図３の状態から反時計方向へ回転させられていくと、その先端に設けられている係合ピン２７ｂが、連結ばね３２の腕部３２ａを押すので、連結ばね３２の他方の腕部３２ｂが抑止部材３１の係合部３１ｄを押すことによって、抑止部材３１を時計方向へ回転させていく。そして、上記のような先羽根用係止解除部材２３と後羽根用係止解除部材２５との回転によって、各々の鉄片部材２４，２６が、先羽根用電磁石１９と後羽根用電磁石２０の各々の鉄芯部材１９ａ，２０ａに接触する直前になると、抑止部材３１の回り止め部３１ｂが後羽根用係止解除部材２５の被抑止部２５ｂに接触する。そのため、その後は、連結ばね３２の腕部３２ａが抑止部材３１の係合部３１ｄから離れ、連結ばね３２が緊張されていくようになる。
【００６７】
その後、鉄片部材２４，２６は、先羽根用電磁石１９と後羽根用電磁石２０の各々の鉄芯部材１９ａ，２０ａに接触する。そのため、先羽根用係止解除部材２３と後羽根用係止解除部材２５の回転は停止し、ホールド部材２７もそれ以上は反時計方向へ回転できなくなる。しかしながら、その後もホールド補助部材２８の被押動部２８ａが補助セット部材１８の押動部１８ａに押されるので、ホールド補助部材２８は、ホールド部材２７との間に掛けられた図示していない上記の第２のばねを緊張させながら僅かに回転させられたところで停止する。
【００６８】
他方、上記のように鉄片部材２４，２６が鉄芯部材１９ａ，２０ａに接触した後、レリーズ部材３０は、それまで、ホールド補助部材２８の被押動部２８ａによって阻止されていた回転を許されるようになり、図示していないばねの付勢力によって反時計方向へ回転させられ、その当接部３０ｃが上地板７の被当接部７ｋに当接して停止させられる。それによって、レリーズ部材３０の係止部３０ａが、ホールド補助部材２８の被押動部２８ａの作動軌跡内に入り込んで、ホールド補助部材２８の時計方向の回転を阻止し得る状態になる。補助セット部材１８の回転が停止して、係止解除機構がこのような状態になったときが、上記の開閉駆動機構のセット作動で説明したオーバーセット状態のときである。
【００６９】
このようなオーバーセット状態から、上記したように、セット部材１３が初期位置へ復帰させられると、補助セット部材１８も時計方向へ回転させられるので、ホールド補助部材２８も、ホールド部材２７との間に掛けられた図示していない上記の第２のばねの付勢力によって時計方向へ回転させられるが、その回転は、僅かに回転したところで、ホールド補助部材２８の被押動部２８ａが、レリーズ部材３０の係止部３０a に係止されて停止させられる。
【００７０】
そして、このときのホールド補助部材２８の回転は、ホールド部材２７との間に掛けられている図示していない第２のばねの付勢力が作用する範囲内であるから、ホールド部材２７は回転せず、押圧部材２９の押圧部２９ａ，２９ｂは、依然として鉄片部材２４，２６を鉄芯部材１９ａ，２０ａに接触させており、また、抑止部材３１の回り止め部３１ｂも、後羽根用係止解除部材２５の被抑止部２５ｂに接触している。このような状態が、図７に示された係止解除機構のセット完了状態、即ち光学ファインダを用いて撮影を行うときの撮影待機状態である。
【００７１】
既に説明したように、本実施例のフォーカルプレンシャッタを備えたデジタルカメラは、モニタを用いる撮影モードで撮影を行うときの選択スイッチと、静止画撮影用のレリーズボタンと、動画撮影用のレリーズボタンとを備えている。そして、動画撮影用のレリーズボタンは、選択スイッチを操作することによって、モニタを用いる撮影モードが選択されていないときはロックされ、押せないようになっている。そのため、上記のようにしてセット作動が行われ、図６及び図７に示されたセット完了状態、即ち光学ファインダを用いる撮影モードのときの撮影待機状態になっているときは、動画撮影用のレリーズボタンは押すことができない。また、光電センサー４５，４６は、カメラの電源をＯＮにしたときから通電されているので、セット完了状態では、いずれも、アーム３３，３９の遮光部３３ａ，３９ａによって光路を遮断され、Ｌ信号を出力している。
【００７２】
このような状態において、撮影者が、光学ファインダで被写体を観察しながら静止画像用のレリーズボタンを押すと、先ず、一方では、可動ミラーを跳ね上げて、撮影光路から退かせ、他方では、先羽根用電磁石１９のコイル１９ｂと後羽根用電磁石２０のコイル２０ｂに通電する。そのため、それまでは、単に鉄芯部材１９ａ，２０ａに接触させられていただけの鉄片部材２４，２６が、鉄芯部材１９ａ，２０ａに電磁力で吸着される。そこで次に、図示していないカメラ本体側の部材が、レリーズ部材３０の被押動部３０ｂを押すので、レリーズ部材３０は、図７において時計方向へ回転し、係止部３０ａによって行っていた、ホールド補助部材２８の係止を解く。
【００７３】
被押動部２８ａの係止を解かれたホールド補助部材２８は、図示していない上記の第２のばねの付勢力によって極めて僅かに回転した後、図示していない上記の第１のばねの付勢力によってホールド部材２７と共に時計方向へ回転し、その被押動部２８ａが補助セット部材１８の押動部１８ａに当接して停止させられるが、その過程において、ホールド部材２７に連動し、次のような作動が行われる。ホールド部材２７が時計方向へ回転を開始すると、押圧部材２９の押圧部２９ａ，２９ｂが、鉄芯部材２４，２６の被押動部２４ａ，２６ａから離れるが、上記のように、鉄芯部材２４，２６は既に鉄芯部材１９ａ，２０ａによって吸着されているので、先羽根用係止解除部材２３と後羽根用係止解除部材２５は、各々の図示していないばねの付勢力によって回転させられず、しばらくは、図７に示された状態を維持している。
【００７４】
また、そのホールド部材２７の時計方向の回転によって、一方の腕部３２ａをホールド部材２７の係合ピン２７ｂに掛けている連結ばね３２の緊張が解かれてゆき、その後、係合ピン２７ｂが連結ばね３２の他方の腕部３２ｂを押し始めるので、上記の腕部３２ａが抑止部材３１の係合部３１ｄを押すことによって、抑止部材３１を反時計方向へ回転させるようになる。それによって、抑止部材３１の抑止部３１ａが、後羽根用係止解除部材２５の被抑止部２５ｂの作動軌跡外へ逃がされていく。
【００７５】
そして、ホールド部材２７のこのような回転は、上記したように、ホールド補助部材２８の被押動部２８ａが補助セット部材１８の押動部１８ａに当接することによって停止させられるが、そのとき、ホールド部材２７に取り付けられている押圧部材２９が、軸２７ａを中心にして大きく傾いて振動する。ところが、本実施例の場合には、カバー板８の折曲部８ａに、ゴム製の緩衝部材３３が取り付けられているので、押圧部材２９が傾くと、押圧部２９ａ，２９ｂのいずれかが緩衝部材３３に当接し、押圧部材２９の振動が早期に収まるようになっている。図８は、そのような傾きによって、押圧部材２９の押圧部２９ｂが緩衝部材３３に当接している状態を示したものである。また、その後、押圧部材２９が理想的な姿勢になって静止した状態が図９に示されている。
【００７６】
このようにして、図９に示された状態が得られると、次に、先羽根用電磁石１９のコイル１９ｂに対する通電が断たれる。そのため、鉄片部材２４に対する吸着力が失われるので、先羽根用係止解除部材２３は、図示していないばねの付勢力によって時計方向へ回転させられ、その過程で、押動部２３ａが、先羽根用係止部材１６の被押動部１６ｂを押していく。そのため、先羽根用係止部材１６は、図示していないばねの付勢力に抗して時計方向へ回転させられ、それまで係止部１６ａによって係止していた先羽根用駆動部材１０の係止を解く。そして、その後における先羽根用係止解除部材２３の回転は、その押動部２３ａが先羽根用係止部材１６の被押動部１６ｂを、上地板７に形成されている孔７ｃの縁に押し付けることによって停止する。
【００７７】
ところで、本実施例においては、上記のように、ホールド部材２７が時計方向へ回転して停止したとき、押圧部材２９が大きく傾いて振動するので、それを早期に静止させるために緩衝部材３３を備えている。しかし、緩衝部材３３を備えていない場合には、ホールド部材２７の回転が停止した後も、押圧部材２９は、早期に静止できないため、その後、先羽根用電磁石１９のコイル１９ｂに対する通電が断たれて先羽根用係止解除部材２３が時計方向へ回転させられ、未だ先羽根用係止部材１６による先羽根用駆動部材１０の係止を解除する前に、鉄片部材２４の被押動部２４ａが、たまたま時計方向へ回転してきた押圧部材２９の押圧部２９ａに当接すると、それによって、先羽根用係止部材１６によって先羽根用駆動部材１０の係止を解くタイミングが、所定のタイミングよりも遅れてしまうことになる。
【００７８】
また、その場合、鉄片部材２４の被押圧部２４ａが、押圧部材２９の押圧部２９ａに当接するときには、押圧部材２９の傾き方が常に同じになっているとは限らないので、先羽根用駆動部材１０の係止を解除するタイミングのずれ方も、撮影ごとに異なってしまうことになる。そのため、先羽根用駆動部材１０の係止を解除するタイミングが一定せず、同じ状態にある被写体を複数枚撮影したときには、常に同じ露光状態の写真が得られず、いわゆる切りむらという事態が発生してしまう。
【００７９】
また、本実施例のように、緩衝部材３３を設けることなく、そのような事態が避けられるようにするためには、レリーズ部材３０がホールド補助部材２８の係止を解除してから、先羽根用電磁石１９のコイル１９ｂに対する通電を断つまでの時間を長くすればよいことになるが、そのようにすると、静止画像用のレリーズボタンを押してから実際に先羽根が露光作動を開始するまでの時間が長くなってしまい、被写体が動いていたりするとシャッタチャンスを逸してしまうおそれが大きくなる。本実施例の場合には、緩衝部材３３を設けることによって、それらのような事態が起きないようになっている。
【００８０】
このようにして、図６の状態において、先羽根用係止部材１６の係止部１６ａによる先羽根用駆動部材１０の被係止部１０ａの係止が解かれると、先羽根用駆動部材１０は、図示していない先羽根用駆動ばねの付勢力によって急速に時計方向へ回転させられる。そのため、先羽根の４枚の羽根３５〜３８は、隣接する羽根同士の重なりを大きくしつつ開口部１ａの下方へ作動し、スリット形成羽根３８の上端縁によって、開口部１ａを開いていく。そして、周知のように、被写体が暗い場合やフラッシュ撮影をする場合には、先羽根の４枚の羽根３５〜３８が開口部１ａを全開にしてから、二つの後羽根用駆動部材１１，１２が時計方向へ回転させられることになるが、先羽根が上記のようにして露光作動を開始した後は、被写体が明るく、しかもフラッシュを使用しないで撮影をする場合で説明する。
【００８１】
上記のようにして、先羽根用電磁石１９のコイル１９ｂに対する通電が断たれてから所定時間後に、後羽根用電磁石２０のコイル２０ｂに対する通電が断たれる。そのため、鉄片部材２６に対する吸着力が失われ、後羽根用係止解除部材２５は、図示していないばねの付勢力によって反時計方向へ回転させられるが、その過程で、押動部２５ａが、後羽根用係止部材１７の被押動部１７ｂを押していく。それによって、後羽根用係止部材１７は、図示していないばねの付勢力に抗して反時計方向へ回転させられ、それまで係止部１７ａで係止していた後羽根用第２駆動部材１２の係止を解く。そして、その後の後羽根用係止解除部材２５の回転は、その押動部２５ａが後羽根用係止部材１７を、上地板７に形成されている折曲部７ｊに押し付けることによって停止する。
【００８２】
このようにして、後羽根用係止部材１７による係止が解かれると、後羽根用第２駆動部材１２は、図示していない後羽根用駆動ばねの付勢力によって、図６の状態から急速に時計方向へ回転させられるが、その初期段階において、窓部１２ｂの縁が後羽根用第１駆動部材１１の係合部１１ａを押すので、後羽根用第１駆動部材１１も時計方向へ回転を開始する。従って、それ以後は、二つの駆動部材１１，１２は、時計方向へ一体的に回転することになる。そして、後羽根用第１駆動部材１１が時計方向へ回転を開始すると、後羽根の４枚の羽根４１〜４４は、隣接する羽根同士の重なりを小さくしつつ開口部１ａ内へ作動してゆき、スリット形成羽根４４の下端縁によって、開口部１ａを上方から閉じていく。そのため、それ以後は、先羽根のスリット形成羽根３８と後羽根のスリット形成羽根４４の間に形成されたスリットにより、撮像素子の撮像面を上方から下方に向けて露光していく。
【００８３】
ところで、本実施例の場合には、中間板２の形状が従来とは異なっている。即ち、本実施例の中間板２は、既に説明したように、後羽根の４枚の羽根４１〜４４が重畳状態にさせられて格納される側の外形形成縁が、露光開口、即ち開口部１ａ側に向けて凸状となる円弧状をしている。そのため、図６示されているセット完了状態においては、後羽根の４枚の羽根４１〜４４は、それらの羽根の長さ方向の略中央部において、中間板２との重なり幅が小さくなるようになっている。そこで、本実施例の中間板２が何故このような形状をしているのかを、ここで説明しておく。
【００８４】
周知のように、本実施例のように、シャッタ地板１と中間板２との間に先羽根が配置され、中間板２と補助地板３の間に後羽根が配置されている場合には、シャッタ地板１と中間板２の間は、先羽根の４枚の羽根３５〜３８が重畳状態になるところで最も大きな間隔を必要とするし、中間板２と補助地板３の間では、後羽根の４枚の羽根４１〜４４が重畳状態になるところで最も大きな間隔を必要とする。即ち、本実施例の場合には、シャッタ地板１と中間板２の間の羽根室は、開口部１ａの下方において最も大きな間隔を必要とするし、中間板２と補助地板３の間の羽根室は、開口部１ａの上方において最も大きな間隔を必要とする。
【００８５】
ところが、最近では、カメラの小型化に伴い、シャッタ地板１と補助地板３との間隔を少しでも小さくすることが要求されているため、重畳状態になっているときには、先羽根の４枚の羽根３５〜３８は、シャッタ地板１と中間板２とによって強く挟まれ、後羽根の４枚の羽根４１〜４４は、中間板２と補助地板３とによって強く挟まれるようになっている。そのため、先羽根の４枚の羽根３５〜３８の場合も、後羽根の４枚の羽根４１〜４４の場合も、重畳状態から展開状態に作動するときには、従来よりも大きな摩擦力に抗して作動を開始させる必要が生じている。
【００８６】
このような状況において、本実施例の場合には、先羽根の４枚の羽根３５〜３８が、重畳状態から展開状態に作動させられるのは、セット作動を行うときである。そのため、先羽根の場合は、その作動開始のタイミングが多少不安定になったとしても特に大きな問題は生じない。しかし、後羽根の４枚の羽根４１〜４４が、重畳状態から展開状態に作動するのは、露光作動を行うときである。そのため、その作動開始のタイミングが少しでも不安定になるのは大きな問題である。
【００８７】
そこで、本実施例の場合には、重畳状態における後羽根の羽根４１と中間板２との接触面積を、全体構成上からみて効率的に小さくするため、中間板２の外形形成縁を上記のような円弧状にしている。つまり、中間板２の上方両端の位置は、シャッタ地板１に対する取付けの都合や、その取付け部が羽根の作動に干渉しないようにするため、従来どおりにしており、その上で上端縁を円弧状にしたのは、羽根４１が作動を開始するとき、円滑に作動し少しでも傾きが生じにくいように配慮したものである。尚、外形形成縁の形状は、重畳状態における後羽根の羽根４１と中間板２との接触面積を小さくすることができれば、本実施例のように円弧状でなくても、それ相当の効果がえられる。
【００８８】
ここで、先羽根と後羽根による露光作動の説明に戻る。本実施例における先羽根と後羽根は、上記のようにして、所定の間隔のスリットを形成して、撮像素子の撮像面を露光していくが、周知のように、その露光量は、撮像面のどの領域においても同じであることが要求される。ところが、シャッタユニットを製作するときには、所定の規格どおりに製作されていても、カメラ本体に組み込まれたときや、カメラの発売後においては、撮像面の露光量の分布が一定せず、露光むらを発生させてしまうことがある。そこで、本実施例のフォーカルプレンシャッタを備えたデジタルカメラは、そのような事態が生じても、それを自動的に補正できるようになっている。
【００８９】
そこで、そのような補正を可能にするため、本実施例では、上記したように、シャッタ地板１に二つの光電センサー４５，４６が取り付けられており、先羽根のアーム３３には遮光部３３ａ，３３ｂが形成され、後羽根のアーム３９には遮光部３９ａ，３９ｂが形成されていて、先羽根と後羽根とによって形成されるスリットが、開口部１ａの上方領域にあるときと、真中の領域にあるときと、下方領域にあるときとの３箇所で、スリット幅を検出するようになっている。
【００９０】
そして、各領域でのスリット幅の検出は、上方領域の場合には、アーム３３の遮光部３３ａが光電センサー４５の光路から退いてから、アーム３９の遮光部３９ａが光電センサー４６の光路から退くまでの時間を検出し、真中の領域の場合には、アーム３３の遮光部３３ｂが光電センサー４５の光路を遮断してから、アーム３９の遮光部３９ｂが光電センサー４６の光路を遮断するまでの時間を検出し、下方領域の場合には、アーム３３の遮光部３３ｂが光電センサー４５の光路から退いてから、アーム３９の遮光部３９ｂが光電センサー４６の光路から退くまでの時間を検出することによって行なわれる。
【００９１】
尚、このようなスリット幅の検出結果による補正は、カメラ側の制御回路が後羽根用電磁石２０のコイル２０ｂに対する通電を遮断する時機を、電気的に微調整するようにして、次の撮影が適正露光で行われるようにしてもよいが、検出時に撮影した画像情報を、記憶装置からカメラ本体側の画像処理回路に呼び出して補正をし、その補正後の画像情報を記憶装置に記憶させるようにすることも可能である。
【００９２】
このようにして、先羽根の４枚の羽根３５〜３８と後羽根の４枚の羽根４１〜４４とが、それらのスリット形成羽根３８，４４の間にスリットを形成して下方へ移動していくが、先羽根の露光作動は、４枚の羽根３５〜３８が重畳状態になって開口１ａからその下方位置へ退いた直後に、先羽根用駆動部材１０の駆動ピン１０ｃが緩衝部材４に当接することによって停止され、後羽根の露光作動は、４枚の羽根４１〜４４が展開状態になって開口１ａを完全に閉鎖した直後に、後羽根用第１駆動部材１１の駆動ピン１１ｂが緩衝部材５に当接することによって停止させられる。その状態が、図１及び図２に示されている状態である。そして、既に説明したように、この状態で撮像情報が記憶装置に記憶された後、直ちにセット作動が行われるが、それと並行して、カメラ本体側に備えられている可動ミラーが撮影光路内に復帰する。
【００９３】
次に、モニタを用いる撮影モードでの作動を説明するが、その作動説明には、上記の説明に用いた図面の一部を援用するほか、新たに図１１〜図１３を用いることにする。既に説明したように、本実施例のセット完了状態は、図６及び図７に示された状態である。また、このとき、カメラ本体側の可動ミラーは撮影光路内に存在していて、被写体光をファインダ光学系に向けて反射している。そのため、この状態では、光学ファインダを用いて被写体像を観察できるようになっている。そのような状態において、モニタを用いる撮影モードで撮影する場合には、撮影者は、カメラに備えられている選択スイッチを押してＯＮにする。そうすると、その信号によって、静止画撮影用のレリーズボタンのほかに、それまでロックされていた動画撮影用のレリーズボタンも押し得るようになると共に、可動ミラーが撮影光路から退避させられる。
【００９４】
他方、選択スイッチがＯＮになると、カメラ本体側の部材が、図７の状態にあるレリーズ部材３０を時計方向へ回転させる。それによって、既に説明したように、ホールド部材２７とホールド補助部材２８が時計方向へ回転する。このとき、二つの電磁石１９，２０のコイル１９ｂ，２０ｂには通電されていない。そのため、ホールド部材２７が時計方向への回転を開始すると、押圧部材２９に押されて鉄片部材２４，２６を鉄芯部材１９ａ，２０ａに接触させられていた先羽根用係止解除部材２３と後羽根用係止解除部材２５が、各々の図示していないばねの付勢力によって回転を開始する。
【００９５】
その場合、先羽根用係止解除部材２３の方は、押圧部材２９に追従して時計方向への回転を続け、押動部２３ａによって、先羽根用係止部材１６の被押動部１６ｂを押し得るようになるが、後羽根用係止解除部材２５の方は、ホールド部材２７の回転によって抑止部材３１の抑止部３１ａが後羽根用係止解除部材２５の被抑止部２５ｂの作動軌跡から逃げる前に、その被抑止部２５ｂが抑止部３１ａに当接して抑止されてしまうため、押動部２５ａによって後羽根用係止部材１７の被押動部１７ｂを押せなくなってしまう。尚、本実施例の場合には、抑止部材３１の抑止部３１ａは、被抑止部２５ｂによって当接される面が円弧面に形成されている。そのため、被抑止部２５ｂの当接によって抑止部材３１がいずれかの方向へ回転させられる可能性があるが、そのような場合には、回り止め部３１ｂ,３１ｃがそのような回転を阻止するようになっている。
【００９６】
このようにして、後羽根用係止解除部材２５が抑止された後も、ホールド部材２７の方は、係合ピン２７ｂが連結ばね３２の腕部３２ｂを押し、連結ばね３２を緊張させながら、最後まで回転を続ける。そして、先羽根用係止解除部材２３の押動部２３ａが被押動部１６ｂを押して、先羽根用係止部材１６を時計方向へ回転させ、先羽根用駆動部材１０の係止を解かせると、既に説明したように、先羽根用駆動部材１０は、図示していない先羽根用駆動ばねの付勢力によって時計方向へ急速に回転し、先羽根の４枚の羽根３５〜３８が開口部１ａを全開にした後、駆動ピン１０ｃが緩衝部材４に当接することによって停止する。図１１及び図１２は、そのときの状態を示したものであって、この状態が、電子ファインダを用いる撮影モードのときの待機状態であり、被写体像をモニタで観察し得る状態である。
【００９７】
そこで次に、このような状態で静止画像を撮影する場合を説明するが、その場合には、上記の光学ファインダを用いる撮影モードの場合と同様に、静止画撮影用のレリーズボタンを押すことになる。それによって、二つの電磁石１９，２０のコイル１９ｂ，２０ｂに通電されるが、それ以後は、既に選択スイッチをＯＮにしたことから、その信号によって、上記の光学ファインダを用いる撮影モードのときとは異なる作動をすることになる。
【００９８】
上記のようにして、二つの電磁石１９，２０のコイル１９ｂ，２０ｂに通電されると、カメラ本体側の部材が、図１２に示されているローラー１４ａを押して、レリーズ操作部材１４を時計方向へ回転させる。そのため、既に説明したセット作動と同様に、セット部材１３が時計方向へ回転させられ、それにより、図１１に示された補助セット部材１８が反時計方向へ回転させられる。ところが、図１２の状態においては、後羽根用第２駆動部材１２が、既に後羽根用係止部材１７によって係止された状態になっているので、セット部材１３は、ローラー１３ａによって、先羽根用駆動部材１０だけを、図示していない先羽根用駆動ばねの付勢力に抗して反時計方向へ回転させる。そして、先羽根の４枚の羽根３５〜３８が開口部１ａを閉鎖したところで、セット部材１３は、そのローラー１３ｂで後羽根用第２駆動部材１２のローラー１２ｃを押すようになり、それ以後は、先羽根用駆動部材１０と後羽根用第２駆動部材１２を図５に示された状態まで回転させていく。
【００９９】
他方、補助セット部材１８は、その反時計方向の回転によって、ホールド部材２７とホールド補助部材２８を反時計方向へ回転させるので、押圧部材２９は、ホールド部材２７に対する姿勢を変えながら、図１１の状態にある先羽根用係止解除部材２３と後羽根用係止解除部材２５とを、各々のばねの付勢力に抗して回転させ、それらに取り付けられている鉄片部材２４,２６を、鉄芯部材１９ａ，２０ａに接触させる。そして、そのような状態が得られたときには、先羽根用駆動部材１０と後羽根用第２駆動部材１２も図５に示された状態になっているので、セット操作部材１４のローラー１４ａからカメラ本体側の部材が離れてゆき、セット部材１３は初期位置へ復帰する。それによって、開閉駆動機構は図６に示された状態になり、係止解除機構は図７に示された状態になる。
【０１００】
そのようにして図６及び図７に示された状態になると、既に説明した光学ファインダを用いる撮影モードの場合と同様に、直ちに、先羽根と後羽根による露光作動が行われ、図２及び図３の状態になって撮影が終了する。そして、撮像情報が記憶装置に記憶されると、光学ファインダを用いる撮影モードの場合と同様に、直ちにセット作動が行われると共に、可動ミラーが撮影光路内に戻ってくる。そのため、このモニタを用いるモードで行った撮影後のセット完了状態は、図６及び図７に示された、光学ファインダを用いるモードで行った撮影後のセット完了状態と全く同じになる。従って、続けて、モニタを用いる撮影モードで撮影を行うためには、再度、選択スイッチを押してＯＮにしてから行うことになる。
【０１０１】
次に、選択スイッチをＯＮにしてから動画撮影をする場合について説明する。本実施例の作動説明においては、モニタを用いる撮影モードのときだけ、動画撮影が可能になる。そこで、上記したように、カメラに備えられている選択スイッチを押してＯＮにすると、その信号によって、それまでロックされていた動画撮影用のレリーズボタンが押し得るようになると共に、可動ミラーが撮影光路から退避させられる。そして、本実施例の開閉駆動機構と係止解除機構とは、既に説明したようにして、図１１及び図１２に示された撮影待機状態になる。ここで、静止画撮影用のレリーズボタンを押せば、上記のようにして静止画像の撮影が行われるが、動画撮影を行う場合には、動画撮影用のレリーズボタンを押すことになる。
【０１０２】
そこで、動画撮影用のレリーズボタンを押すと、この場合には、上記した二つのモードでの静止画像の撮影の場合のように、二つの電磁石１９，２０のコイル１９ｂ，２０ｂに対して通電することは全くなく、直ちに動画撮影が開始され、レリーズボタンを押している間は撮影が続行され、その後、レリーズボタンを離すと、撮影が終了する。そして、撮影が終了すると、その信号で、セット作動が直ちに開始されるが、その場合のセット作動は、上記の電子ファインダを用いる撮影モードでの静止画像の撮影における、実際に露光作動が行われる前の作動と似ており、コイル１９ｂ，２０ｂに対する通電をしないだけである。
【０１０３】
即ち、レリーズボタンを離すと、その信号で、カメラ本体側の部材がレリーズ操作部材１４を図１２において時計方向へ回転させ、リンク部材１５を介して、セット部材１３を時計方向へ回転させる。そのため、図１１において、補助セット部材１８が反時計方向へ回転させられる。それによって、一方では、図１２において、セット部材１３が、ローラー１３ａによって、先羽根用駆動部材１０だけを、図示していない先羽根用駆動ばねの付勢力に抗して反時計方向へ回転させる。そして、先羽根の４枚の羽根３５〜３８が開口部１ａを閉鎖したところで、セット部材１３は、ローラー１３ｂによって、後羽根用第２駆動部材１２を反時計方向へ回転させるようになり、それ以後は、先羽根用駆動部材１０と後羽根用第２駆動部材１２を図５に示された状態まで回転させる。
【０１０４】
他方、図１１において、補助セット部材１８が反時計方向へ回転すると、ホールド部材２７とホールド補助部材２８も反時計方向へ回転するので、押圧部材２９は、ホールド部材２７に対する姿勢を変えながら、先羽根用係止解除部材２３と後羽根用係止解除部材２５を回転させ、それらに取り付けられている鉄片部材２４,２６を、鉄芯部材１９ａ，２０ａに接触させる。そして、そのような状態が得られたときには、先羽根用駆動部材１０と後羽根用第２駆動部材１２も図５に示された状態になっているので、セット操作部材１４のローラー１４ａからカメラ本体側の部材が離れてゆき、セット部材１３は初期位置へ復帰する。それによって、開閉駆動機構は図６に示された状態になり、係止解除機構は図７に示された状態になる。そして、このような作動と並行して可動ミラーが撮影光路内に戻される。
【０１０５】
このようにして行われたセット完了状態は、光学ファインダを用いる撮影モードでのセット完了状態と全く同じである。そのため、この状態においては、動画撮影用のレリーズボタンはロックされていることになる。従って、もう一度、動画撮影を行おうとするときは、再度、選択スイッチを押してＯＮにし、動画撮影用のレリーズボタンのロックを解除しておいてから、モニタを用いて撮影することになる。
【０１０６】
尚、本実施例の作動説明に際しては、カメラ本体に、選択スイッチと、静止画撮影用レリーズボタンと、動画撮影用レリーズボタンとが備えられていることを前提にし、しかも、モニタを用いる撮影モードで撮影した後は、光学ファインダを用いる撮影モードでの撮影待機状態になるようにした場合で説明したが、本発明のデジタルカメラ用フォーカルプレンシャッタは、このような作動だけを行わせるものに限定されない。例えば、静止画撮影だけが可能であって、動画撮影は、行えないようにしてもよい。
【０１０７】
また、本実施例の作動説明においては、モニタを用いる撮影モードで撮影したいときには、その都度、選択スイッチを押さなければならないが、光学ファインダを用いる撮影モードとモニタを用いる撮影モードとを選択することのできる切換え選択手段（スイッチ）を備えておき、その切換え選択手段によってモニタを用いる撮影モードを選択したきには、静止画撮影用のレリーズボタンを押すだけで、モニタを用いた撮影を何回でも続けて行えるようにすることも可能である。
【０１０８】
そこで、そのようにする場合の一例を説明する。先ず、切換え選択手段によって、光学ファインダを用いる撮影モードからモニタを用いる撮影モードに切り換えたときの作動は、実施例の作動説明におおける、選択スイッチを押したときの作動と同じになるようにする。そして、その状態で、静止画撮影用のレリーズボタンを押せば、静止画像の撮影が開始され、動画撮影用のレリーズボタンを押せば、動画撮影が開始される。
【０１０９】
そこで先ず、静止画撮影用のレリーズボタンを押したときは、実施例での上記の作動と同様にして露光作動が行われるようにし、その後、図６及び図７に示された状態（実施例の作動説明ではセット状態）になったときには、続けて、レリーズ部材３０を時計方向へ回転させて、図１１及び図１２に示された撮影待機状態にさせてしまう。それによって、静止画撮影用のレリーズボタンを押すだけで、モニタを用いる撮影モードでの次の撮影が行える。また、動画撮影用のレリーズボタンを押したときにも、実施例での作動と同様にして動画撮影が行われ、その後、図６及び図７に示された状態になったときには、続けて、レリーズ部材３０を時計方向へ回転させるようにすれば、図１１及び図１２に示された、電子ファインダを用いる撮影モードでの撮影待機状態が得られる。
【０１１０】
そして、切換え選択手段によって、モニタを用いる撮影モードから光学ファインダを用いる撮影モードに切り換えたときは、動画撮影終了後における実施例での作動と同様にして、図１１及び図１２の状態から、図６及び図７に示された状態になるようにすればよい。
【符号の説明】
【０１１１】
１                              シャッタ地板
１ａ，２ａ，３ａ                開口部
１ｂ，１ｃ，１８ｂ              長孔
１ｄ〜１ｆ，７ａ                柱
１ｇ〜１ｋ，１ｍ，１ｎ，１ｐ，７ｂ，７ｄ，７ｅ，７ｍ，７ｎ，７ｒ，１４ｂ，２７ａ  軸
２                              中間板
２ｂ                            外形形成縁
３                              補助地板
４，５，９，３３                緩衝部材
６，２１，２２                  ねじ
７                              上地板
７ｃ                            孔
７ｆ〜７ｈ，７ｊ，８ａ          折曲部
７ｉ，１２ｂ                    窓部
７ｋ                            被当接部
７ｐ，７ｑ                      位置決めピン
８                              カバー板
１０                            先羽根用駆動部材
１０ａ，１２ａ                  被係止部
１０ｂ，１２ｃ，１３ａ，１３ｂ，１４ａ  ローラー
１０ｃ，１１ｂ                  駆動ピン
１１                            後羽根用第１駆動部材
１１ａ，３１ｄ                  係合部
１２                            後羽根用第２駆動部材
１３                            セット部材
１４                            セット操作部材
１５                            リンク部材
１５ａ                          ピン
１６                            先羽根用係止部材
１６ａ，１７ａ，３０ａ          係止部
１６ｂ，１７ｂ，２４ａ，２６ａ，２８ａ，３０ｂ  被押動部
１７                            後羽根用係止部材
１８                            補助セット部材
１８ａ，２３ａ，２５ａ          押動部
１８ｃ                          逃げ孔
１９                            先羽根用電磁石
１９ａ，２０ａ                  鉄芯部材
１９ｂ，２０ｂ                  コイル
１９ｃ，２０ｃ                  ボビン
２０                            後羽根用電磁石
２３                            先羽根用係止解除部材
２４，２６                      鉄片部材
２５                            後羽根用係止解除部材
２５ｂ                          被抑止部
２７                            ホールド部材
２７ｂ                          係合ピン
２８                            ホールド補助部材
２９                            押圧部材
２９ａ，２９ｂ                  押圧部
３０                            レリーズ部材
３０ｃ                          当接部
３１                            抑止部材
３１ａ                          抑止部
３１ｂ，３１ｃ                  回り止め部
３２                            連結ばね
３２ａ，３２ｂ                  腕部
３３，３４，３９，４０          アーム
３３ａ，３３ｂ，３９ａ，３９ｂ  遮光部
３５〜３８，４１〜４４          羽根
４５，４６                      光電センサー
【図１】
0005502534.tif 000002
【図２】
0005502534.tif 000003
【図３】
0005502534.tif 000004
【図４】
0005502534.tif 000005
【図５】
0005502534.tif 000006
【図６】
0005502534.tif 000007
【図７】
0005502534.tif 000008
【図８】
0005502534.tif 000009
【図９】
0005502534.tif 000010
【図１０】
0005502534.tif 000011
【図１１】
0005502534.tif 000012
【図１２】
0005502534.tif 000013
【図１３】
0005502534.tif 000014